(57)【要約】【課題】ベッドの柵やマットレスが略直角柱の形状をした筐体に干渉し難くするようにしつつ、懸架しても、ベッドに横になっている患者が筐体を持っても、ボタン上に印刷された文字を正しい方向にする。【解決手段】筐体１に設けた吊り下げ部３が長手側の側面に移動した場合にスイッチ４を操作すると、ボタン上の文字の上方向が、筐体１における吊り下げ部３の位置と同じ方向になるように、操作部５のボタンを回転させる。これにより、ベッドの柵やマットレスが略直角柱の形状をした筐体１に干渉し難くすることができる。また、筐体１の長手側の側面に移動した吊り下げ部３によりスイッチ４が操作されることによって、操作部５のボタン上の文字の上方向が筐体における吊り下げ部３の位置と一致するようにボタンが回転するので、壁面に掛けても、患者が筐体１を持っても、操作部５を構成するボタン上の文字を正しい方向にすることができる【選択図】図３
2012205848.tif 000002
【特許請求の範囲】
【請求項１】
長手側の二つの側面と短手側の二つの側面とを有する略直角柱の形状をした筐体と、
前記筐体の短手側の側面および前記筐体の長手側の側面を移動可能であり、前記筐体を壁面に設けたフックなどに吊り下げるために用いられる吊り下げ部と、
前記吊り下げ部が前記筐体の長手側の側面の略中央に移動した場合に操作され、前記長手側の二つの側面の少なくとも一方に設置されるスイッチと、
前記スイッチが操作された場合に、表面に印刷された文字の上方向が、前記筐体における前記吊り下げ部の位置と同じ位置になるように回転するボタンを有し、患者が医療従事者を呼び出すために操作される操作部と、
を備えたことを特徴とするナースコール子機。
【発明の詳細な説明】
【技術分野】
【０００１】
本発明は、患者が呼出操作を行うことによって、医療従事者を呼び出すことができるナースコールシステムに用いられるナースコール子機に関し、特に、壁面に懸架できるようにしたナースコール子機に関する。
【背景技術】
【０００２】
一般的に、病院などでは、ナースコールシステムが用いられている。ナースコールシステムは、病院内の患者が医師または看護師のサポートを必要とする際に、患者が操作部のボタンを操作することによって医者や看護師（以下、これらをまとめて医療従事者と記載する）を呼び出すことができるように成されたシステムである。
【０００３】
多くのナースコールシステムは、病室内のベッド近傍に設置されるナースコール子機と、医療従事者が常駐するナースステーションに設置されるナースコール親機と、病室の出入口付近の廊下側に設置される廊下灯と、通話やデータの送受信に関する制御を行う制御機とを備えて構成されている。また、上述した構成に加えて、医療従事者が携帯するＰＨＳ（Personal Handy phone System）端末などの携帯端末とＰＢＸ（Private Branch Exchange：電話交換機）とを備えたナースコールシステムも提供されている。
【０００４】
ところで、ナースコール子機に設けた環状の吊り下げ部を、壁面に設けたフックに通すことで、ナースコール子機を壁面に懸架する技術が知られている（例えば、特許文献１など）。この特許文献１に記載のナースコール子機は、患者が呼び出し操作を行うための操作部を略直角柱の形状をした筐体に備えている。しかしながら、操作部を構成するボタンがどのような操作を行うためのものであるかが明記されていないと、患者が操作部を操作することに躊躇してしまうという問題があった。
【０００５】
このような問題を解決するために、操作部を構成するボタン上に「呼出」といった文言を印刷しておくことが考えられる。これにより、「呼出」の文言を見た患者は、医療従事者を呼び出す際に操作部を操作すれば良いことを把握することができる。
【０００６】
ところで、上述したナースコール子機を壁面に掛けておくと、ベッドの位置によっては、ベッドの柵やマットレスが略直角柱の形状をした筐体に干渉してしまうことがある。これは、ナースコール子機の筐体が縦長であることに起因する。そのため、環状の吊り下げ部を筐体の長手側の側面に取り付け可能とすることで、ベッドの柵やマットレスが筐体に干渉し難くすることができる。しかしながら、筐体が横向きとなってしまうので、操作部を構成するボタン上に印刷された「呼出」の文字も横向きになってしまうという問題が生じる。これに対して、筐体の向きをセンサーなどにより検出し、その向きに合わせて操作部を構成するボタンの向きを自動的に変更できるようにすれば、上述した問題を解決することができる（例えば、特許文献２など）。
【０００７】
しかしながら、上述した公知技術では、筐体の向きに合わせて操作部を構成するボタンの向きを自動的に変更しているため、患者がベッドに横になった状態で筐体を持つと、患者の目から見て、ボタン上に印刷された「呼出」の文字が横向きになってしまうという問題があった。
【先行技術文献】
【特許文献】
【０００８】
【特許文献１】特開２００８−４３５７９号公報
【特許文献２】特開２００４−２６０５９２号公報
【発明の概要】
【発明が解決しようとする課題】
【０００９】
本発明は、このような問題を解決するために成されたものであり、ベッドの柵やマットレスが略直角柱の形状をした筐体に干渉し難くするようにしつつ、壁面に掛けた場合でも、ベッドに横になっている患者が筐体を持った場合でも、操作部を構成するボタン上に印刷された文字を正しい方向にすることができるようにすることを目的とする。
【課題を解決するための手段】
【００１０】
上述した課題を解決するために、本発明では、略直角柱の形状をした筐体の短手側の側面に、筐体の長手側の側面に移動可能な環状の吊り下げ部を設け、この吊り下げ部が長手側の側面の中央に移動した場合に操作されるスイッチを筐体の長手側の側面に設ける。そして、このスイッチが操作された場合に、操作部のボタン上に印刷された文字の上方向が筐体における吊り下げ部の位置と一致するように、操作部のボタンを回転させるようにしている。
【発明の効果】
【００１１】
上記のように構成した本発明によれば、筐体の短手側の側面の吊り下げ部が筐体の長手側の側面に移動可能に設けられているので、ベッドの柵やマットレスが略直角柱の形状をした筐体に干渉し難くすることができる。また、筐体の長手側の側面の中央に移動した吊り下げ部によりスイッチが操作されることによって、操作部のボタン上に印刷された文字の上方向が筐体における吊り下げ部の位置と一致するようにボタンが回転するので、吊り下げ部を壁面に掛けた場合でも、ベッドに横になっている患者が筐体を持った場合でも、操作部を構成するボタン上に印刷された文字を正しい方向にすることができる。
【図面の簡単な説明】
【００１２】
【図１】本実施形態によるナースコール子機の構成例を示す図である。
【図２】本実施形態によるナースコール子機の吊り下げ部の接続状態を示す断面図である。
【図３】本実施形態によるナースコール子機の動作例を示す図である。
【発明を実施するための形態】
【００１３】
以下、本発明の一実施形態を図面に基づいて説明する。図１は、本実施形態によるナースコール子機の構成例を示す図である。ナースコール子機は、各病室のベッド近傍に設置されており、患者によって使用される。ここで、図１に示すように、ナースコール子機は、筐体１、コード２、吊り下げ部３、スイッチ４、操作部５を備えて構成されている。
【００１４】
筐体１は、長手側の二つの側面１ａと短手側の二つの側面１ｂとを有する略直角柱の形状であり、内部に基板などを内蔵している。また、筐体１の長手側の側面１ａの図１中上部には溝部１ｃが形成されている。また、筐体１の図１中上部の短手側の側面１ｂにも溝部１ｃが形成されている。また、筐体１の図１中下部の短手側の側面１ｂには、コード２が取り付けられており、ナースコール子機にて生成された信号を出力したり、ナースコール子機に信号を入力したりするために使用される。ここで、コード２の先端には図示しないコネクタが形成されており、壁面に設けたコンセントにコネクタを接続することで、ナースコール子機は動作可能である。
【００１５】
吊り下げ部３は、環状の軟質部材により形成されており、壁面に設けたフックを通すことで、ナースコール子機を壁面に懸架しておくことができる。ここで、吊り下げ部３は、筐体１の溝部１ｃに沿って移動可能である。具体的には図２に示すように、溝部１ｃの両側に設けた凹条のレール部に吊り下げ部３の筐体１側に設けた凸部を嵌め込むことで、吊り下げ部３が筐体１の溝部１ｃを移動可能となる。
【００１６】
スイッチ４は、筐体１の長手側の側面１ａの略中央、かつ、溝部１ｃ内に設けられており、溝部１ｃを移動した吊り下げ部３によって操作される。ここで、スイッチ４は、筐体１の反対側の長手側の側面１ａにも形成されている。操作部５は、患者によって操作されるボタンを備えており、ボタンの表面には、操作部５の機能を示す「呼出」の文言が印刷されている。また、操作部５のボタンは、左右に９０度回転可能に筐体１に取り付けられている。そして、筐体１の図１中右方の長手側の側面１ａに設けたスイッチ４が操作されると、図示しない駆動部により右方向（時計回り）に９０度回転させられる。一方、筐体の図１中左方の長手側の側面１ａに設けたスイッチ４が操作されると、図示しない駆動部により左方向（反時計回り）に９０度回転させられる。
【００１７】
具体的には、医療従事者などが、図３（ａ）に示す初期状態のナースコール子機の吊り下げ部３を、図３（ａ）中右方の長手側の側面１ａに移動させて、溝部１ｃ内を移動した吊り下げ部３がスイッチ４を操作すると、図示しない駆動部により操作部５のボタンは右方向（時計回り）に９０度回転させられる（図３（ｂ））。すなわち、筐体１における吊り下げ部３の位置と、操作部５のボタン上に印刷された「呼出」の文字の上方向とが一致することになる。
【００１８】
また、医療従事者などが、図３（ｂ）に示す状態のナースコール子機の吊り下げ部３を、図中左方に移動させると、吊り下げ部３が操作していたスイッチ４が開放される。すると、操作部５のボタンは、図示しない駆動部により左方向（反時計周り）に９０度回転させられて、初期状態に戻る（図３（ａ））。すなわち、筐体１における吊り下げ部３の位置と、操作部５のボタン上に印刷された「呼出」の文字の上方向とが一致することになる。
【００１９】
一方、医療従事者などが、図３（ａ）に示す初期状態のナースコール子機の吊り下げ部３を、図３（ａ）中左方の長手側の側面１ａに移動させて、溝部１ｃ内を移動した吊り下げ部３がスイッチ４を操作すると、図示しない駆動部により操作部５のボタンは左方向（反時計回り）に９０度回転させられる（図３（ｃ））。すなわち、筐体１における吊り下げ部３の位置と、操作部５のボタン上に印刷された「呼出」の文字の上方向とが一致することになる。
【００２０】
また、医療従事者などが、図３（ｃ）に示す状態のナースコール子機の吊り下げ部３を、図中右方に移動させると、吊り下げ部３が操作していたスイッチ４が開放される。すると、操作部５のボタンは、図示しない駆動部により右方向（時計回り）に９０度回転させられて、初期状態に戻る（図３（ａ））。すなわち、筐体１における吊り下げ部３の位置と、操作部５のボタン上に印刷された「呼出」の文字の上方向とが一致することになる。
【００２１】
以上詳しく説明したように、本実施形態によれば、略直角柱の形状をした筐体１の短手側の側面１ｂに、筐体の長手側の側面１ａに移動可能な環状の吊り下げ部３を設け、この吊り下げ部３が長手側の側面１ａの中央に移動した場合に操作されるスイッチ４を筐体１の長手側の側面１ａに設ける。そして、移動した吊り下げ部３がスイッチ４を操作した場合に、操作部５のボタン上に印刷された文字の上方向が、筐体１における吊り下げ部３の位置と同じ方向になるように、操作部５のボタンを回転させるようにしている。
【００２２】
これにより、筐体１の短手側の側面１ｂの吊り下げ部３が筐体１の長手側の側面１ａに移動可能に設けられているので、ベッドの柵やマットレスが略直角柱の形状をした筐体１に干渉し難くすることができる。また、筐体１の長手側の側面１ｂの中央に移動した吊り下げ部３によりスイッチ４が操作されることによって、操作部５のボタン上に印刷された文字の上方向が筐体における吊り下げ部３の位置と一致するようにボタンが回転するので、吊り下げ部３を壁面に掛けた場合でも、ベッドに横になっている患者が筐体１を吊り下げ部３が見た目上方に位置するように持った場合でも、操作部５を構成するボタン上に印刷された文字を正しい方向にすることができる。
【００２３】
なお、前述した実施形態では、操作部５のボタン上に「呼出」の文言が印刷されているが、これに限定されない。例えば、呼び出しの種類を示す文字やアイコンなどをボタン上に印刷するようにしても良い。また、文字やアイコンを印刷する代わりに、文字やアイコンを手書きによって記載したり、文字やアイコンを示すシールを貼ったりしても良いことはもちろんである。
【００２４】
また、前述した実施形態では、吊り下げ部３は円環状に形成されているが、これに限定されない。例えば、吊り下げ部３を四角状に形成するようにしても良いし、その他の形状で形成するようにしても良い。要は、吊り下げ部３が壁面に設けたフックに懸架できれば、吊り下げ部３はどのような形状でも良い。
【００２５】
また、前述した実施形態では、吊り下げ部３が筐体１の一つの短手側の側面１ｂおよびその両側の長手側の側面１ａのみを移動可能としているが、これに限定されない。例えば、吊り下げ部３が筐体１の全ての側面１ａ、１ｂを移動可能としても良い。
【００２６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２７】
１    筐体
１ａ    長手側の側面
１ｂ    短手側の側面
１ｃ    溝部
２    コード
３    吊り下げ部
４    スイッチ
５    操作部
【図１】
2012205848.tif 000003
【図２】
2012205848.tif 000004
【図３】
2012205848.tif 000005